(57)【要約】【課題】ブルーレイディスクプレイヤー等の再生装置から高音質の音声信号を映像音響装置が受信して音声処理を施し、外部の音響装置に伝送することによりユーザの利便性を向上させること。【解決手段】映像音響装置１０は再生装置３０から高音質の音声信号を受信し、音声処理部２０は音声処理を行い、アンプ４０への伝送が可能な伝送帯域の信号にする。処理された音声信号は、光IF部２３からアンプ４０の光IF部４３に伝送される。複数の音声成分をもつ音声信号のうち、音声信号の帯域が前記伝送帯域に収まるように音声処理部２０で選択された音声成分は、アンプ４０に送られ、音声デコード部５２、音声処理部５３で処理された後、スピーカ６１、６２に送られて出力される。また音声処理部２０で選択されなかった音声成分は映像音響装置１０のスピーカ２７，２８に送られて出力される。【選択図】  図１
2011082661.tif 000002
【特許請求の範囲】
【請求項１】
映像信号を受信して処理するとともに、複数の音声成分を有する音声信号を受信し、音声処理を施した音声信号を外部の音響装置に出力可能な映像音響装置であって、
音声信号の帯域が前記映像音響装置から前記音響装置への信号伝送帯域に収まるように、前記音声成分を選択して処理する音声処理手段と、
前記音声処理手段によって処理された音声信号を前記音響装置に伝送する伝送手段と、を備えることを特徴とする映像音響装置。
【請求項２】
前記複数の音声成分のうち前記音声処理手段によって選択されなかった音声成分を前記映像音響装置の音声出力手段によって出力することを特徴とする、請求項１記載の映像音響装置。
【請求項３】
前記音声処理手段は、前記映像音響装置から前記音響装置に音声信号を伝送する伝送帯域が前記複数の音声成分を有する音声信号の帯域よりも狭い場合、送信する音声信号の帯域が前記伝送帯域に収まるように前記音声成分を選択し、かつフォーマット変換を行い、
前記伝送手段は前記フォーマット変換された音声信号を前記音響装置に伝送する、ことを特徴とする、請求項１又は２に記載の映像音響装置。
【請求項４】
前記音声処理手段を制御する制御手段を備え、
前記制御手段によって前記映像音響装置と前記音響装置とが接続されていると判定された場合、前記音声処理手段は、前記音声成分のうち低音成分、センター成分、サラウンド成分を混合した音声信号を生成し、前記音声出力手段から音声を出力させることを特徴とする、請求項２記載の映像音響装置。
【請求項５】
前記制御手段によって前記映像音響装置と前記音響装置とが接続されていないと判定された場合、前記音声処理手段は、前記複数の成分を左右の音声それぞれについて混合した音声信号を生成し、前記音声出力手段から音声を出力させることを特徴とする、請求項４記載の映像音響装置。
【請求項６】
映像信号を受信して処理するとともに、複数の音声成分を有する音声信号を受信し、音声処理を施した音声信号を外部の音響装置に出力可能な映像音響装置の制御方法であって、
音声信号の帯域が前記映像音響装置から前記音響装置への信号伝送帯域に収まるように、前記音声成分を選択して処理するステップと、
前記ステップにて処理された音声信号を前記音響装置に伝送するステップと、を有することを特徴とする映像音響装置の制御方法。
【発明の詳細な説明】
【技術分野】
【０００１】
本発明は高音質の音声再生が可能な映像音響装置及びその制御方法に関するものである。
【背景技術】
【０００２】
近年ブルーレイディスクの普及に伴い、画質の向上だけでなく、高音質が求められている。例えば可逆圧縮であるロスレス方式や、圧縮時のデータ損失が少ないロッシー方式等、高音質の音声技術が使われてきている。具体的にはブルーレイディスクの音声規格の１つであるロスレス方式のDolby（登録商標）-True-HDやロッシー方式のDolby（登録商標）-Digital-Plusがある。
従来、高音質の音声再生には、音声成分毎にスピーカ、通常は６個のスピーカが用いられ、いわゆる5.1チャネル（以下、チャンネルを“ch”と略記する）サラウンドの音声として再生していた。テレビジョン放送受信装置（以下、ＴＶ装置という）のスピーカは通常、左右２つであるため、不足分のスピーカは、外部アンプ等の音響装置に接続したスピーカで補っている。
ＴＶ装置のスピーカを有効に利用するため、アンプにてＴＶ装置で再生可能な音声成分を調べ、その音声成分の信号をアンプからＴＶ装置に送る技術が知られている（例えば特許文献１参照）。また、圧縮音声信号に対するデコード能力については通常、ＴＶ装置よりも音響装置の方が高いことを利用した方法も知られている（例えば特許文献２参照）。つまり音響装置はＴＶ装置がデコード可能な音声フォーマットを調べ、その音声フォーマットに変換した音声信号をＴＶ装置に送る。
【先行技術文献】
【特許文献】
【０００３】
【特許文献１】特開２００８−０２８９５０号公報
【特許文献２】特開２００６−３１１２８８号公報
【発明の概要】
【発明が解決しようとする課題】
【０００４】
しかしながら従来の技術では、音声信号がブルーレイディスクプレイヤーから音響装置へ、更にＴＶ装置へと伝達する構成になっていた。高音質の音声信号伝送においてＴＶ装置で広く使われている方式は、下記の３種類である。
・Wireless HD等の無線方式。
・HDMI（High Definition Multimedia Interface）方式。
・光ファイバーを使ったSPDIF（Sony Philips Digital Interface Format）等の光インタフェース（以下、インタフェースを“IF”と略記する）方式。
【０００５】
例えばブルーレイディスクプレイヤーとＴＶ装置が無線IF方式で接続され、音響装置が無線IF方式に非対応の場合を想定する。HDMI方式はＴＶ装置の入力方式であるので、ＴＶ装置からアンプへの音声伝送については光IF方式の伝送路しかないことになる。ところが高音質の音声信号の場合、その帯域が広いので音声信号を光IF方式の伝送路では伝送できないという問題がある。例えば前述のDolby（登録商標）-True-HDやDolby（登録商標）-Digital-Plusではデータ分解能が24bit、サンプリング周波数が48KHzである。チャネル数が5.1chの場合、前者の方式では約4.5Mbps（bit per second）、後者の方式では2.2Mbpsの帯域となる。しかし光IF方式での伝送帯域は約1.8Mbpsであり、高音質の音声信号の伝送には十分でない。
そこで本発明はブルーレイディスクプレイヤー等の再生装置からの高音質音声信号を、ＴＶ装置等の映像音響装置にて、伝送可能な帯域の信号に音声処理してから音響装置に伝送する。本発明は映像音響装置及び音響装置にそれぞれ接続されたスピーカを使って、高音質の音声再生を可能とする映像音響装置及びその制御方法の提供を目的とする。
【課題を解決するための手段】
【０００６】
上述した課題を解決するために、本発明に係る装置は、映像信号を受信して処理するとともに、複数の音声成分を有する音声信号を受信し、音声処理を施した音声信号を外部の音響装置に出力可能な映像音響装置であって、音声信号の帯域が前記映像音響装置から前記音響装置への信号伝送帯域に収まるように、前記音声成分を選択して処理する音声処理手段と、前記音声処理手段によって処理された音声信号を前記音響装置に伝送する伝送手段と、を備える。
【発明の効果】
【０００７】
本発明によれば、受信した音声信号を映像音響装置内で音声処理してから音響装置に伝送することができるので、例えば視聴者は映像とともに高音質の音声を視聴できる。
【図面の簡単な説明】
【０００８】
【図１】図２及び３と併せて本発明の第１実施形態を説明するために、システムの概略構成を例示したブロック図である。
【図２】動作例を示すフローチャートである。
【図３】視聴状態を示す概念図である。
【図４】図５と併せて本発明の第２実施形態を説明するために、システムの概略構成を例示したブロック図である。
【図５】動作例を示すフローチャートである。
【図６】図６と併せて本発明の第３実施形態を説明するために、システムの概略構成を例示したブロック図である。
【図７】動作例を示すフローチャートである。
【発明を実施するための形態】
【０００９】
［第１実施形態］
図1は本発明の第１実施形態に係る構成の一例を示すブロック図であり、ＴＶ装置１０、再生装置３０、アンプ４０及びスピーカ６１，６２によってシステムが構成されている。映像音響装置としてのＴＶ装置１０は高音質の音声信号を処理して、音響装置としてのアンプ４０に出力可能である。
再生装置３０（本例ではブルーレイディスクプレイヤー）で再生されるブルーレイディスクの音声信号は、複数の音声成分をもった高音質のロスレス圧縮信号である。これは、例えばデータ分解能が24bit、サンプリング周波数が48KHzでチャネル数5.1chのDolby（登録商標）-True-HD方式（以下、単にHD方式という）でディスクに記録されているものとする。5.1chの音声成分は、以下の通りである。
・左成分（L: Left）及び右成分（R: Right）。
・センター成分（C: Center）。
・低音成分（LFE: Low Frequency Effect）。
・左サラウンド成分（Ls: Left Surround）及び右サラウンド成分（Rs :Right Surround）。
【００１０】
再生装置３０では映像信号に関してデコードによって非圧縮映像信号として出力できるが、HD方式の圧縮音声信号はデコードできない。そこで外部装置で音声信号のデコードを行う必要があり、再生装置３０はHD方式の圧縮音声信号のまま出力することになる。ＴＶ装置１０と再生装置３０は、符号３１に示すようにWireless HD規格の無線IFで接続されている。そしてＴＶ装置１０と、アンプ４０とは、符号３３で示すように、ＴＶ装置１０からアンプ４０へ向けて光IFで接続され、符号３２で示すように、アンプ４０からＴＶ装置１０へ向けてHDMI-IFで接続されている。HDMI-IFの信号については双方向のCEC（Consumer Electronics Control）信号と、アンプ４０からＴＶ装置１０への映像音声信号から構成される。再生装置３０からＴＶ装置１０への無線IF方式での伝送において映像信号は非圧縮信号であり、音声信号は圧縮信号である。HD方式の音声帯域は約4.5Mbpsとする。無線IFによってHD方式音声が帯域的に伝送可能である。一方、符号３３に示す光IF方式の帯域は、無線IF方式の音声帯域よりも狭く、1.8Mbpsとする。
【００１１】
まずＴＶ装置１０の構成を説明する。システム制御部１１は装置全体を制御し、バス１２はシステム制御部１１と各ブロックとの間で制御信号やデータの入出力を行う。チューナ部１４はデジタル放送波を受信して復調し、TS（Transport Stream）信号に変換する。AV（音声映像）デコード部１５はチューナ部１４からのTS信号等を非圧縮映像信号及び非圧縮音声信号にデコードする。AVデコード部１５はHD方式の音声デコード能力をもつ。
映像処理部１８はAVデコード部１５からの非圧縮映像信号１６を映像処理し、表示可能な信号を表示部２１に出力する。表示部２１は、処理された表示可能な映像信号を受けて映像を表示する。
【００１２】
AVデコード部１５からの非圧縮音声信号１７は音声処理部２０で音声処理され、増幅部２２で音声増幅された後、音声出力手段を構成する左側スピーカ２７と右側スピーカ２８から出力される。一方、システム制御部１１からの指示に従い、音声処理部２０は音声信号を光IF部２３に出力する。光IF部２３は音声信号を外部の音響装置に伝送する伝送手段を構成しており、本例では光通信によってアンプ４０に音声信号を送信する。
【００１３】
HDMI-IF部２４はセレクタ部２９、AV受信部２５、CEC部２６を備える。セレクタ部２９は、外部音響装置（本例ではアンプ４０）からの映像音声信号を選択してAV受信部２５に送出する。AV受信部２５は映像音声信号を受信し、AVデコード部１５に送る。CEC部２６はシステム制御部１１からの指示に従って、他のHDMI機器（本例ではアンプ４０）との間で、CECコマンドを送受信する。
無線IF部１３はシステム制御部１１からの指示に従い、他の無線通信可能機器（本例では再生装置３０）と無線IFで映像信号、音声信号、及び制御信号の送受信を行う。無線IF部１３が受信した映像音声信号はAVデコード部１５に送られる。
【００１４】
次にアンプ４０の構成を説明する。システム制御部４１はアンプ全体を制御する。バス４２はシステム制御部４１と各ブロックとの間で制御信号やデータの入出力を行う。光IF部４３はＴＶ装置１０の光IF部２３から光通信で音声信号を受信する。入力部４７には図示しない音声信号が入力される。音声セレクタ部４８は、光IF部４３から音声信号、入力部４７からの音声信号、又は後述するAV受信部４９からの音声信号のいずれかを、システム制御部４１の指示により選択する。音声デコード部５２は音声セレクタ部４８で選択した圧縮音声信号に対し音声デコードを行う。音声デコード部５２はHD方式のデコード能力をもつ。その後、音声処理部５３によって音声処理を施された信号は増幅部５４で増幅され、左スピーカ６１と右スピーカ６２から音声がそれぞれ出力される。
【００１５】
HDMI-IF部４４はAV受信部４９、AV送信部４５、CEC部４６を備える。AV受信部４９が受信した映像信号５０はAV送信部４５へ送られ、AV受信部４９が受信した音声信号は音声セレクタ部４８へ送られる。音声セレクタ部４８で選択される所定の音声信号はAV送信部４５へ入力される。CEC部４６は、システム制御部１１からの指示に従い、ＴＶ装置１０のCEC部２６との間でCECコマンドを送受信する。
ＴＶ装置１０とアンプ４０との通信は光IF（符号３３参照）とHDMI-IF（符号３２参照）により、異なる2系統の伝送路を通じて行われる。つまり、光IFではＴＶ装置１０の光IF部２３からアンプ４０の光IF部４３へ向けて信号が伝送される。またHDMI-IFでは、アンプ４０のHDMI-IF部４４とＴＶ装置１０のHDMI-IF部２４との間で信号伝送が行われる。
【００１６】
本システムの動作例を図２のフローチャートに示す。ユーザは再生装置３０のブルーレイディスク情報を再生し、ＴＶ装置１０で映像と音声を再生し、アンプ４０を介してスピーカ６１，６２から音声を再生することを意図している。ここで再生装置３０による再生音声は5.1chのHD方式に従うものとする。図２では、ＴＶ装置１０での処理をＳ２０２乃至２１２に示し、アンプ４０での処理をＳ２２１乃至２２３に示す。
【００１７】
Ｓ２０２において、ユーザ操作により再生装置３０のブルーレイディスク情報が再生され、無線IFを通して映像音声信号がＴＶ装置１０に送信される。ＴＶ装置１０は無線IF部１３で再生装置３０からの映像音声信号を受信する。
Ｓ２０３では無線IF部１３で受信した映像音声信号がAVデコード部１５に送られる。ここで映像信号については非圧縮であるので、非圧縮映像信号１６が映像処理部１８に出力され、また、音声信号については圧縮されているので、非圧縮音声信号１７にデコードされて音声処理部２０に送られる。このときAVデコード部１５により、圧縮音声は5.1chのHD方式にて5.1ch分の各音声成分にデコードされる。
Ｓ２０４にて非圧縮映像信号１６は映像処理部１８で映像処理され、表示部２１に映像が表示される。次のＳ２０６でＴＶ装置１０のシステム制御部１１は、HDMI-IF部２４のCEC部２６を介してアンプ４０に接続確認コマンドを発行する。
【００１８】
Ｓ２２１にてアンプ４０のシステム制御部４１は、HDMI-IF部４４のCEC部４６を介して接続確認コマンドを受け取り、アンプ４０が接続されている旨のコマンドをＴＶ装置１０に返答する。Ｓ２０７でＴＶ装置１０のシステム制御部１１は、HDMI-IF部２４のCEC部２６を介してアンプ４０から返答があったか否かを判定する。その結果、アンプ４０が接続済みで返答があった場合、Ｓ２０８に進むが、アンプ４０が未接続で返答が無かった場合、Ｓ２１２に進む。
【００１９】
Ｓ２１２にてＴＶ装置１０では、各音声成分にデコードされた音声信号１７について、音声処理部２０により、L/Ls/LFE/Cの音声成分が左側音声LTにダウンミックス処理される。そしてR/Rs/LFE/Cの音声成分は右側音声RTにダウンミックス処理される。処理後の左右の各音声信号は増幅部２２で増幅され、左側スピーカ２７と右側スピーカ２８からそれぞれ出力される。
具体的には音声処理部２０にて左側音声LTと右側音声RTは、例えば下式に従って音声処理される。
【００２０】
【数１】
2011082661.tif 000003
なお、上式中のL,R,C,LFE,Ls,Rsは各成分のレベルをそれぞれ表している。
一方、Ｓ２０７でアンプ４０からの返答があった場合、Ｓ２０８に進む。各音声成分にデコードされた音声信号１７については音声処理部２０により、Ls/LFE/Cの音声成分が左側音声LTにダウンミックス処理され、Rｓ/LFE/Cの音声成分が右側音声RTにダウンミックス処理される。そして処理後の左右の各音声信号は増幅部２２で増幅された後、左側スピーカ２７と右側スピーカ２８からそれぞれ出力される。
音声処理部２０により左側音声LTと右側音声RTは、例えば下式に従って音声処理される。
【００２１】
【数２】
2011082661.tif 000004
なお、上式中のC,LFE,Ls,Rsは各成分のレベルをそれぞれ表している。
Ｓ２０９にて音声処理部２０は、システム制御部１１の制御下で、非圧縮の音声成分のうち、LとRの成分をHD方式に再エンコードして圧縮信号とし、光IF部２３を介してアンプ４０に伝える。音声処理部２０での再エンコードの際、元の5.1chのHD方式はL/R成分の2ch、つまりチャネル数が2/5.1になったので、4.5Mbpsから1.76（=4.5×2/5.1）MbpsのHD方式で再エンコード可能である。つまり再エンコードの帯域である1.76Mbpsは、光IFの信号伝送帯域1.8Mbps内に収まっているのでアンプ４０に伝送可能である。
Ｓ２２２において、アンプ４０は光IF部４３を介して、音声成分L/Rの2chのHD方式に再エンコードされた音声信号を受信する。これを音声セレクタ部４８が選択し、音声デコード部５２が圧縮音声信号をデコードして非圧縮音声信号に戻す。次のＳ２２３にて音声処理部５３が処理した音声信号は、増幅部５４で増幅され、LとRの各音声成分が左スピーカ６１と右スピーカ６２からそれぞれ出力される。
【００２２】
こうして再生装置３０からの5.1chのHD方式の音声については、当該方式のLs/LFE/Cの成分を混合した左側音声LTをＴＶ装置１０のスピーカ２７が出力する。そして、当該方式のRｓ/LFE/Cの成分を混合した右側音声RTをＴＶ装置１０のスピーカ２８が出力する。一方、アンプ４０のスピーカ６１，６２はHD方式のL及びRの成分のままでそれぞれの音声を出力する。つまりHD方式の高音質音声の効果を最大限に生かした再生が可能となる。更に一般的には、アンプ接続のスピーカの方がＴＶ装置に付設のスピーカに比べて増幅部及びスピーカ自体の性能が高いので、良質の音が得られる。すなわち、サラウンド音に比べて重要なL/Rの音声成分をアンプ４０から各スピーカ６１，６２に出力することができ、本システムは良質な音響効果を奏する。
【００２３】
このときの視聴状態を図３に模式的に示す。ＴＶ装置１０の左側スピーカ２８からは左側サラウンド音声成分Lsを中心とした音場（符号７１参照）が生成され、右側スピーカ２８からは右側サラウンド音声成分Rsを中心とした音場（符号７２参照）が生成される。アンプ４０の左スピーカ６１はLの音声成分を出力し、右スピーカ６２はRの音声成分を出力する。
【００２４】
以上のように第１実施形態では、再生装置３０からの高音質音声を、ＴＶ装置１０にて、光IF方式の伝送路で伝送可能な帯域の信号に音声処理してから、アンプ４０に伝送する。これにより、各装置のスピーカを用いて高音質の音声再生環境が実現される。
なお前記の説明では高音質の音声信号としてHD方式の信号を挙げた。しかしこれに限らず、ブルーレイ規格で認められた他の方式、例えばDTS-HD-Master-Audio方式やDolby（登録商標）-Digital-Plus方式、DTS-HD-High-Resolution方式等でもよい。
【００２５】
さらに前記の例ではＴＶ装置１０のスピーカ２７，２８からLs/LFE/C、Rｓ/LFE/Cの各成分をそれぞれダウンミックスした音声を出力した。そしてアンプ４０のスピーカ６１，６２からL及びRの各音声をそれぞれ出力したが、その逆でも構わない。つまり図２のＳ２０８及び２０９にて音声処理部２０による音声成分の振り分け方を逆の関係に変更すればよい。これによりＴＶ装置１０のスピーカ２７，２８からL及びRの各音声がそれぞれ出力され、アンプ４０のスピーカ６１，６２からLs/LFE/C、Rｓ/LFE/Cの各成分をそれぞれダウンミックスした音声が出力される。さらにまた別の振り分け方を採用することもできる。例えばＴＶ装置１０のスピーカ２７，２８からL/LFE/C、R/LFE/Cの各成分をそれぞれダウンミックスした音声が出力され、アンプのスピーカ６１，６２からはLs及びRsの各音声がそれぞれ出力されるようにしてもよい。
【００２６】
［第２実施形態］
図４は本発明の第２実施形態に係る構成例を示すブロック図である。第２実施形態と第１実施形態との相違点は以下の通りである。
アンプ４０はHDMIバージョン1.2規格に対応しているが、HDMIバージョン1.3規格に未対応とする。更に音声デコード部５２はロッシー式圧縮のDolby（登録商標）-Digital-Plus方式（以下、単にPlus方式という）のデコード能力を有するものとする。HD方式の信号はHDMIの伝送帯域により規格上、バージョン1.3規格では伝送できるが、バージョン1.2規格では伝送できない。
ＴＶ装置１０と再生装置３０はHDMIバージョン1.3規格のHDMI-1.3-IF（符号３４参照）で接続されている。そしてＴＶ装置１０とアンプ４０との通信は、以下の信号伝送路によって行われる。
・ＴＶ装置１０からアンプ４０へ向けての光IF（符号３３参照）による信号伝送路。
・アンプ４０からＴＶ装置１０へ向けてHDMIバージョン1.2規格のHDMI-1.2-IF（符号３５参照）による信号伝送路。
【００２７】
なおＴＶ装置１０の構成は第１実施形態の場合と同じであるので説明を省略し、アンプ４０の構成に関して第１実施形態との相違点を以下に説明する。
増幅部５４は、Ls/LFE/C/Rsの各音声成分を増幅した後、アンプ４０に接続された各スピーカ６３乃至６６に音声成分の信号をそれぞれ出力する。これによりLsスピーカ６３、LFEスピーカ６４、Cスピーカ６５、Rsスピーカ６６から、各スピーカ名の先頭部に示す、それぞれの音声成分が出力される。
図５は動作例を示すフローチャートである。ユーザは再生装置３０のブルーレイディスク情報を再生し、ＴＶ装置１０で映像と音声を再生し、アンプ４０のスピーカ６３乃至６６から音声を再生することを意図している。ここで再生装置３０からの再生音声は5.1chのHD方式に従うものとする。ＴＶ装置１０での処理をＳ５０２乃至５１２に示し、アンプ４０での処理をＳ５２１乃至５２３に示す。
【００２８】
Ｓ５０２において、ユーザ操作により再生装置３０のブルーレイディスク情報が再生され、HDMI-1.3-IF（符号３４参照）を通して映像音声信号がＴＶ装置１０にHDMI送信される。ＴＶ装置１０はHDMI-IF部２４のセレクタ部２９で再生装置３０の映像音声信号を選択し、該信号をAV受信部２５が受信する。
Ｓ５０３ではAV受信部２５で受信した映像音声信号がAVデコード部１５に送られる。映像信号については非圧縮であり、非圧縮映像信号１６として映像処理部１８に出力される。また音声信号については非圧縮の音声信号にデコードされる。このとき圧縮音声信号はAVデコード部１５によって5.1ch分の各音声成分の信号にデコードされる。
【００２９】
Ｓ５０４、Ｓ５０６、Ｓ５２１、Ｓ５０７、Ｓ５１２の処理は第１実施形態にて説明した図２のＳ２０４、Ｓ２０６、Ｓ２２１、Ｓ２０７、Ｓ２１２の処理と同様であり、よって説明は省略する。
Ｓ５０７でアンプ４０から返答があった場合、Ｓ５０８に進む。AVデコード部１５によって各音声成分にデコードされた音声信号１７は、音声処理部２０にて、LとRの音声成分がそれぞれ左側音声LT、右側音声RTとなる。そして音声信号は増幅部２２に送られて増幅された後、増幅部２２は左側音声信号を左側スピーカ２７に出力し、右側音声信号を右側スピーカ２８に出力する。
【００３０】
Ｓ５０９にて音声処理部２０は、システム制御部１１の制御下で、非圧縮の音声成分のうちLs/LFE/C/Rsの成分を、ロッシー方式であるPlus方式にフォーマット変換する。変換された圧縮信号は、光IF部２３を介してアンプ４０に伝送される。ここで音声処理部２０は２つの処理を行う。その１つ目は元の5.1chのHD方式での音声成分から、Ls/LFE/C/Rs、つまり3.1ch分の音声成分を選択し、チャネル数を3.1/5.1（=0.61）に減らす処理である。２つ目はフォーマット変換により圧縮率を0.65に高める処理である。この２つの処理によって、4.5Mbpsから1.8（=4.5×3.1/5.1×0.65）MbpsのPlus方式へのフォーマット変換が可能である。つまり再エンコードの帯域である1.8Mbpsは、光IFの信号伝送帯域1.8Mbpsに収まっており、圧縮信号の伝送が光IFで可能となる。
【００３１】
Ｓ５２２ではアンプ４０がフォーマット変換された音声信号を光IF部４３から受信し、これを音声セレクタ部４８が選択し、音声デコード部５２がPlus方式の音声信号をデコードして非圧縮音声信号に戻す。次のＳ５２３にて、音声処理部５３で処理された音声信号は増幅部５４で増幅され、Ls/LFE/C/Rsの各音声成分がLsスピーカ６３、LFEスピーカ６４、Cスピーカ６５、Rsスピーカ６６からそれぞれ出力される。
【００３２】
こうして、再生装置３０からの5.1chのHD方式の音声に関し、ＴＶ装置１０のスピーカ２７，２８からはHD方式のL及びRの音声成分のまま出力される。アンプ４０のスピーカ６３乃至６６からはPlus方式に変換されたLs/LFE/C/Rsの各音声成分がそれぞれ出力されることになる。
【００３３】
［第３実施形態］
図６は本発明の第３実施形態に係る構成例を示すブロック図である。第３実施形態と第２実施形態との相違点は以下の通りである。
アンプ４０はロスレス圧縮であるHD方式のデコード能力は無いが、ロッシー方式のPlus方式のデコード能力を有するものとする。
再生装置３０とアンプ４０はHDMIバージョン1.3規格に従う１本目のHDMI-1.3-IF1（符号３４参照）で接続されている。またＴＶ装置１０とアンプ４０との通信は以下の信号伝送路で行われる。
・ＴＶ装置１０からアンプ４０へと向かう光IF（符号３３参照）での信号伝送路。
・アンプ４０からＴＶ装置１０へと向かう、HDMIバージョン1.3規格に従う２本目のHDMI-1.3-IF2（符号３６参照）での信号伝送路。
なおＴＶ装置１０とアンプ４０の構成は第２実施形態の場合と同様であり、よってそれらの説明は省略する。
【００３４】
図7は動作例を示すフローチャートである。ユーザは再生装置３０のブルーレイディスク情報を再生し、ＴＶ装置１０から映像と音声を再生し、アンプ４０のスピーカから音声を再生することを意図している。ここでブルーレイディスクプレイヤーからの再生音声は5.1chのHD方式に従うものとする。ＴＶ装置１０での処理をＳ７０３乃至７０９に示し、アンプ４０での処理をＳ７２０乃至７２３に示す。
【００３５】
Ｓ７２０において、ユーザ操作により再生装置３０はブルーレイディスク情報を再生し、HDMI-1.3-IF1（符号３４参照）を通して映像音声信号をアンプ４０にHDMI送信する。アンプ４０はHDMI-IF部４４のAV受信部４９で映像音声信号を受信する。映像信号５０は映像信号線を介してAV受信部４９からAV送信部４５に送られる。一方、音声信号はAV受信部４９から音声セレクタ部４８に送出されて選択され、AV送信部４５に送られる。つまり音声信号を音声デコード部５２に送ってもHD方式のため、音声デコード部５２ではデコードができない。そこでシステム制御部４１は音声セレクタ部４８に対し音声信号をAV送信部４５に出力するように指示する。
【００３６】
Ｓ７２１にてHDMI-IF部４４は再生装置３０から受信した映像信号と音声信号をそのままHDMI-1.3-IF2（符号３６参照）を通じてＴＶ装置１０のHDMI-IF部２４に出力する。Ｓ７０３にてＴＶ装置１０はHDMI-IF部２４のセレクタ部２９で選択した映像音声信号をAV受信部２５で受信する。受信した映像音声信号はAVデコード部１５に送られる。映像信号については非圧縮であり、非圧縮映像信号１６として映像処理部１８に出力される。また音声信号については非圧縮の音声信号にデコードされる。このとき圧縮音声は5.1chのHD方式であり、AVデコード部１５によって5.1ch分の各音声成分にデコードされる。
【００３７】
Ｓ７０４、Ｓ７０８、Ｓ７０９、Ｓ７２２、Ｓ７２３の処理については第２実施形態で説明した図５のＳ５０４、Ｓ５０８、Ｓ５０９、Ｓ５２２、Ｓ５２３の処理と同様であり、よって説明は省略する。
本実施形態では再生装置３０からの映像音声信号がアンプ４０を経由してＴＶ装置１０に送られ、ここで5.1chのHD方式の音声信号がデコード処理される。ＴＶ装置１０のスピーカ２７，２８からはHD方式のL及びRの音声成分のまま出力され、アンプ４０のスピーカ６３乃至６６からはPlus方式に変換されたLs/LFE/C/Rsの各音声成分がそれぞれ出力されることになる。
【符号の説明】
【００３８】
１０  ＴＶ装置（映像音響装置）
１１  システム制御部
１５  AVデコード部
２０  音声処理部
２３  光IF部（伝送手段）
２７，２８  スピーカ（音声出力手段）
３０  再生装置
４０  アンプ
５２  音声デコード部
６１乃至６６  スピーカ
【図１】
2011082661.tif 000005
【図２】
2011082661.tif 000006
【図３】
2011082661.tif 000007
【図４】
2011082661.tif 000008
【図５】
2011082661.tif 000009
【図６】
2011082661.tif 000010
【図７】
2011082661.tif 000011